(57)【要約】 【課題】  硬い親水性気密ガスケットを有する燃料電池構造を提供する。【解決手段】  第一単面チャンネルプレートと、少なくとも１以上の両面チャンネルプレートと、第二単面チャンネルプレートと、複数の膜電極接合体と、複数の硬い親水性気密ガスケットと、を含む燃料電池構造。【選択図】  図５
2011071102.tif 000002
【特許請求の範囲】
【請求項１】
第一単面チャンネルプレートと、
第一側面チャンネルと第二側面チャンネルを有し、前記第一側面チャンネルは前記第二側面チャンネルに相対し、分離している少なくとも１以上の両面チャンネルプレートと、
第二単面チャンネルプレートと、
前記第一単面チャンネルプレートと前記両面チャンネルプレートとの間及び前記両面チャンネルプレートと前記第二単面チャンネルプレートとの間にそれぞれ設置され、複数の陽極反応側と複数の陰極反応側を有し、前記複数の陽極反応側は前記第一単面チャンネルプレートのチャンネルと前記両面チャンネルプレートの前記第二側面チャンネルにそれぞれ接続され、及び前記複数の陰極反応側は前記両面チャンネルプレートの前記第一側面チャンネルと前記第二単面チャンネルプレートのチャンネルにそれぞれ接続される複数の膜電極接合体と、
前記第一単面チャンネルプレートと前記複数の膜電極接合体の一つの前記陽極反応側との間、前記複数の膜電極接合体の一つの前記陰極反応側と前記両面チャンネルプレートの前記第一側面チャンネルとの間、前記両面チャンネルプレートの前記第二側面チャンネルと前記複数の膜電極接合体の一つの前記陽極反応側との間、及び前記複数の膜電極接合体の一つの前記陰極反応側と前記第二単面チャンネルプレートとの間にそれぞれ接される複数の硬い親水性気密ガスケットと、を含む燃料電池構造。
【請求項２】
前記複数の硬い親水性気密ガスケットはプラズマ処理によって、複数の極性基を有し、
前記複数の硬い親水性気密ガスケットは前記複数の極性基と水によって、前記第一単面チャンネルプレート、前記複数の膜電極接合体の前記複数の陽極反応側、前記複数の膜電極接合体の前記複数の陰極反応側、前記両面チャンネルプレート、及び前記第二単面チャンネルプレートに吸着される請求項１に記載の燃料電池構造。
【請求項３】
前記複数の硬い親水性気密ガスケットはコロナ処理によって、複数の極性基を有し、
前記複数の硬い親水性気密ガスケットは前記複数の極性基と水によって、前記第一単面チャンネルプレート、前記複数の膜電極接合体の前記複数の陽極反応側、前記複数の膜電極接合体の前記複数の陰極反応側、前記両面チャンネルプレート、及び前記第二単面チャンネルプレートに吸着される請求項１に記載の燃料電池構造。
【請求項４】
前記複数の硬い親水性気密ガスケットの硬度はロックウェル硬度５０より大きい請求項１〜３のいずれかに記載の燃料電池構造。
【請求項５】
第一制圧コレクターボードと第二制圧コレクターボードとを更に含み、前記第一制圧コレクターボードは前記第二制圧コレクターボードに相対し、且つ陽極入口と陰極入口を有し、前記陽極入口は前記第一単面チャンネルプレートの前記チャンネルと前記両面チャンネルプレートの前記第二側面チャンネルに接続され、及び前記陰極入口は前記両面チャンネルプレートの前記第一側面チャンネルと前記第二単面チャンネルプレートの前記チャンネルに接続される請求項１〜４のいずれかに記載の燃料電池構造。
【請求項６】
前記第一単面チャンネルプレート、前記両面チャンネルプレート及び前記第二単面チャンネルプレートは石墨、金属、プラスチック、エポキシ樹脂、高分子ポリマー、ガラスのエポキシ基樹脂、或いはガラス強化高分子材料から構成される請求項１〜５のいずれかに記載の燃料電池構造。
【発明の詳細な説明】
【技術分野】
【０００１】
本発明は、燃料電池構造に関し、特に、燃料と酸素の互いに発生される漏れと混合を効果的に防ぐことができる燃料電池構造に関するものである。
【背景技術】
【０００２】
燃料電池（Fuel Cell）はメタノール、或いは水素などの燃料と酸素反応を利用して、燃料を得る。燃料電池に電気化学反応を発生させるために、燃料と酸素は適当な通路をそれぞれ経由して、燃料電池の中に入らなければならない。ここで、通路構造の設計は燃料と酸素の互いの間に漏れと混合がないように確保しなければならなく、燃料電池の作動効率と作動の安全性に影響しないように確保する。
【０００３】
従来の燃料電池は、通常、複数の燃料電池ユニットを含む。各燃料電池ユニットは、主に、膜電極接合体（Membrane Electrode Assembly，MEA）を含み、膜電極接合体は、だいたい、プロトン交換膜と、陽極触媒層と、陰極触媒層とから構成される。
【０００４】
燃料と酸素を燃料電池に送り、電気化学反応（或いは酸化還元反応）を行うために、燃料電池の内部は、適当な気体通路を開設する必要がある。例えば、メタノール（CH3OH）を燃料とする燃料電池の場合、メタノールと酸素は各膜電極接合体の陽極反応側と陰極反応側にそれぞれ送られ、酸化還元反応を行う。ここで、陽極反応側と陰極反応側の酸化還元反応はそれぞれ次の通りある。
【０００５】
【化１】
2011071102.tif 000003
【０００６】
上記のように、燃料電池の気体通路構造において、気密効果を達成するために、燃料と酸素の互いの間に漏れと混合がないようにさせ、通常のやり方は、二つの隣接する部材との間に気密ガスケット（Gasket）を設置する。
【０００７】
図１より、公知の燃料電池構造１は、主に、第一制圧コレクターボード１１と、第二制圧コレクターボード１２と、第一単面チャンネルプレート２１と、第二単面チャンネルプレート２２と、複数の両面チャンネルプレート３０と、複数の膜電極接合体４０と、複数の気密ガスケット５０とを含む。第一単面チャンネルプレート２１と第二単面チャンネルプレート２２は第一制圧コレクターボード１１と第二制圧コレクターボード１２にそれぞれ接する。気密ガスケット５０はソフトワッシャ、或いは硬性ワッシャを使用して、接着剤で第一単面チャンネルプレート２１と膜電極接合体４０との間、膜電極接合体４０と両面チャンネルプレート３０との間、及び膜電極接合体４０と第二単面チャンネルプレート２２との間を接着する。第一制圧コレクターボード１１は、第二制圧コレクターボード１２に相対し、及び第一単面チャンネルプレート２１と、第二単面チャンネルプレート２２と、複数の両面チャンネルプレート３０と、複数の膜電極接合体４０と、複数の気密ガスケット５０は第一制圧コレクターボード１１と第二制圧コレクターボード１２によって制圧し固定される。
【０００８】
また、第一制圧コレクターボード１１は陽極入口１１ａと、陽極出口１１ｂと、陰極入口１１ｃと、陰極出口１１ｄとを有する。ここで、メタノール（CH3OH）は陽極入口１１ａを経由して燃料電池構造１の中に入り、且つメタノールは第一単面チャンネルプレート２１と両面チャンネルプレート３０を経由して、各膜電極接合体４０の陽極反応側４１に流れる（図２に示すように）。ここで、メタノールの流れ方向は図２の矢印Ａに示す通りである。最後に、メタノールは陽極出口１１ｂを経由して燃料電池構造１に流れ出す。もう一つでは、酸素（Ｏ２）は陰極入口１１ｃを経由して燃料電池構造１の中に入り、且つ酸素は両面チャンネルプレート３０と第二単面チャンネルプレート２２を経由して、各膜電極接合体４０の陰極反応側４２に流れる（図２に示すように）。ここで、酸素の流れ方向は図２の矢印Ｂに示す通りである。最後に、酸素は陰極出口１１ｄを経由して燃料電池構造１に流れ出す。
【０００９】
上述のように、気密ガスケット５０は第一単面チャンネルプレート２１と膜電極接合体４０との間、膜電極接合体４０と両面チャンネルプレート３０との間、及び膜電極接合体４０と第二単面チャンネルプレート２２との間の分離作用によって、必ず膜電極接合体４０の陽極反応側４１に流れるメタノールは膜電極接合体４０の陰極反応側４２に漏れることはなく、必ず膜電極接合体４０の陰極反応側４２に流れる酸素は膜電極接合体４０の陽極反応側４１に漏れることはない。よって、メタノールと酸素の漏れと混合現象の発生を避けることができる。
【００１０】
しかしながら、図３に示すように、燃料電池構造１が組合せの過程において、締結力（fastening force）の不均一が発生した時、或いは燃料電池構造１が外力による衝撃を受けた時、ソフトな気密ガスケット５０は、よく撓み、或いは変形現象を発生する。この時、撓み、或いは変形した気密ガスケット５０は、第一単面チャンネルプレート２１と膜電極接合体４０との分離、膜電極接合体４０と両面チャンネルプレート３０との分離、及び膜電極接合体４０と第二単面チャンネルプレート２２との分離効果を失う。上述のように、メタノールと酸素は陽極入口１１ａと陰極入口１１ｃをそれぞれ経由して燃料電池構造１に入る時、元来、各膜電極接合体４０の陽極反応側４１に送られるべきメタノールは陰極反応側４２に漏れ（矢印Ａ’に示すように）、元来、各膜電極接合体４０の陰極反応側４２に送られるべき酸素は陽極反応側４１に漏れる（矢印Ｂ’に示すように）。よって、メタノールと酸素の漏れと混合現象を招き、燃料電池構造１の作動効率と作動安全性が相当大きく影響される。
【００１１】
これに鑑みて、本発明の目的は、硬い親水性気密ガスケットを有する燃料電池構造を提供することにあり、接着剤を塗布しない状況で密閉効果を達成することができ、燃料電池構造内の燃料と酸素の互いに漏れと混合を発生することがないように確保させる。
【先行技術文献】
【特許文献】
【００１２】
【特許文献１】特開２００８−３４３３９号公報
【発明の概要】
【発明が解決しようとする課題】
【００１３】
本発明の目的は、硬い親水性気密ガスケットを有する燃料電池構造を提供する。
【課題を解決するための手段】
【００１４】
上述の問題を解決するために、本発明は基本的に次の特徴を採用する。言わば、本発明における燃料電池構造は、
第一単面チャンネルプレートと、
第一側面チャンネルと第二側面チャンネルを有し、前記第一側面チャンネルは前記第二側面チャンネルに相対し、分離している少なくとも１以上の両面チャンネルプレートと、
第二単面チャンネルプレートと、
前記第一単面チャンネルプレートと前記両面チャンネルプレートとの間及び前記両面チャンネルプレートと前記第二単面チャンネルプレートとの間にそれぞれ設置され、複数の陽極反応側と複数の陰極反応側を有し、前記複数の陽極反応側は前記第一単面チャンネルプレートのチャンネルと前記両面チャンネルプレートの前記第二側面チャンネルにそれぞれ接続され、及び前記複数の陰極反応側は前記両面チャンネルプレートの前記第一側面チャンネルと前記第二単面チャンネルプレートのチャンネルにそれぞれ接続される複数の膜電極接合体と、
前記第一単面チャンネルプレートと前記複数の膜電極接合体の一つの前記陽極反応側との間、前記複数の膜電極接合体の一つの前記陰極反応側と前記両面チャンネルプレートの前記第一側面チャンネルとの間、前記両面チャンネルプレートの前記第二側面チャンネルと前記複数の膜電極接合体の一つの前記陽極反応側との間、及び前記複数の膜電極接合体の一つの前記陰極反応側と前記第二単面チャンネルプレートとの間にそれぞれ接される複数の硬い親水性気密ガスケットと、を含む。
【００１５】
同時に、本発明の燃料電池構造は、前記複数の硬い親水性気密ガスケットはプラズマ処理によって、複数の極性基を有し、
前記複数の硬い親水性気密ガスケットは前記複数の極性基と水によって、前記第一単面チャンネルプレート、前記複数の膜電極接合体の前記複数の陽極反応側、前記複数の膜電極接合体の前記複数の陰極反応側、前記両面チャンネルプレート、及び前記第二単面チャンネルプレートに吸着される。
【００１６】
また、本発明において、前記複数の硬い親水性気密ガスケットはコロナ処理によって、複数の極性基を有し、
前記複数の硬い親水性気密ガスケットは前記複数の極性基と水によって、前記第一単面チャンネルプレート、前記複数の膜電極接合体の前記複数の陽極反応側、前記複数の膜電極接合体の前記複数の陰極反応側、前記両面チャンネルプレート、及び前記第二単面チャンネルプレートに吸着される。
【００１７】
また、本発明において、前記複数の硬い親水性気密ガスケットの硬度はロックウェル硬度５０より大きいことが好ましい。ロックウェル硬度がこの範囲に含まれることにより、複数の硬い親水性気密ガスケットの撓み、或いは変形現象を抑制することができる。
【００１８】
また、本発明において、第一制圧コレクターボードと第二制圧コレクターボードとを更に含み、前記第一制圧コレクターボードは前記第二制圧コレクターボードに相対し、且つ陽極入口と陰極入口を有し、
前記陽極入口は前記第一単面チャンネルプレートの前記チャンネルと前記両面チャンネルプレートの前記第二側面チャンネルに接続され、
前記陰極入口は前記両面チャンネルプレートの前記第一側面チャンネルと前記第二単面チャンネルプレートの前記チャンネルに接続されることが好ましい。
【００１９】
また、本発明において、前記第一単面チャンネルプレート、前記両面チャンネルプレート及び前記第二単面チャンネルプレートは石墨、金属、電子伝導性のある物質、プラスチック、エポキシ樹脂、高分子ポリマー、ガラスのエポキシ樹脂、或いはガラス強化高分子材料から構成されることが好ましく、より好ましくは、石墨、金属、電子伝導性のある物質である。前記第一単面チャンネルプレート、前記両面チャンネルプレート及び前記第二単面チャンネルプレートをこれらの材料で構成することにより、プラズマ、或いはコロナ処理によって、複数の極性基（例えば、水酸基（ＯＨ））を有する硬い親水性気密ガスケットは、複数の極性基と水によって、前記第一単面チャンネルプレート、前記両面チャンネルプレート及び第二単面チャンネルプレートに吸着する。これにより、燃料電池構造において接着剤を塗布しない状況で密閉効果を達成することができる。
【発明の効果】
【００２０】
本発明の燃料電池構造によれば、燃料と酸素の互いの漏れと混合現象を確実に避けることができる。よって、燃料電池構造の作動効率と作動安全性を大幅に高めることができる。且つ接着剤によっての接着プロセスを省くことができ、燃料電池構造が組合せでの便利性を効果的に高めることができる。
【図面の簡単な説明】
【００２１】
【図１】公知の燃料電池構造の立体図を表している。
【図２】図１の燃料電池構造に基づいて、正常の作動状態の一部の断面図を表している。
【図３】図１の燃料電池構造に基づいて、非正常の作動状態の一部の断面図を表している。
【図４】本発明の燃料電池構造の立体図を表している。
【図５】図４に基づいた燃料電池構造の一部の断面図を表している。
【図６】本発明の燃料電池構造の構造の一部の平面図を表している。
【発明を実施するための形態】
【００２２】
本発明についての目的、特徴、長所が一層明確に理解されるよう、以下に実施形態を例示し、図面を参照にしながら、詳細に説明するが、本発明は以下の実施形態に限定されない。
【実施例】
【００２３】
図面に合わせて本発明のより好ましい実施例を説明する。
【００２４】
図４より、本実施例の燃料電池構造１００は、主に、第一制圧コレクターボード１１１と、第二制圧コレクターボード１１２と、第一単面チャンネルプレート１２１と、第二単面チャンネルプレート１２２と、複数の両面チャンネルプレート１３０と、複数の膜電極接合体１４０と、複数の硬い親水性気密ガスケット１５０とを含む。
【００２５】
第一制圧コレクターボード１１１は第二制圧コレクターボード１１２に相対し、且つ第一制圧コレクターボード１１１は陽極入口１１１ａと、陽極出口１１１ｂと、陰極入口１１１ｃと、陰極出口１１１ｄとを有する。
【００２６】
図４と図５に示すように、第一単面チャンネルプレート１２１と第二単面チャンネルプレート１２２は第一制圧コレクターボード１１１と第二制圧コレクターボード１１２にそれぞれ接する。ここで、第一単面チャンネルプレート１２１と第二単面チャンネルプレート１２２に（カーブ）チャンネル１２１ａと（カーブ）チャンネル１２１ａをそれぞれ成型する。
【００２７】
各両面チャンネルプレート１３０は第一側面（カーブ）チャンネル１３１と第二側面（カーブ）チャンネル１３２を有する。図５に示すように、第一側面チャンネル１３１は第二側面チャンネル１３２に相対し、分離している。また、本実施例において、第一単面チャンネルプレート１２１、第二単面チャンネルプレート１２２、及び両面チャンネルプレート１３０は石墨、金属、プラスチック、エポキシ樹脂、高分子ポリマー、ガラスのエポキシ基樹脂、或いはガラス強化高分子材料から構成される。
【００２８】
複数の膜電極接合体１４０は第一単面チャンネルプレート１２１と両面チャンネルプレート１３０との間、両面チャンネルプレート１３０との間及び両面チャンネルプレート１３０と第二単面チャンネルプレート１２２との間にそれぞれ設置される。また、各膜電極接合体１４０は陽極反応側１４１と陰極反応側１４２を有する。ここで、図５に示すように、複数の膜電極接合体１４０の陽極反応側１４１は第一単面チャンネルプレート１２１のチャンネル１２１ａと複数の両面チャンネルプレート１３０の第二側面チャンネル１３２にそれぞれ接続され、一方、複数の膜電極接合体１４０の陰極反応側１４２では複数の両面チャンネルプレート１３０の第一側面チャンネル１３１と第二単面チャンネルプレート１２２のチャンネル１２２ａにそれぞれ接続される。
【００２９】
複数の硬い親水性気密ガスケット１５０は第一単面チャンネルプレート１２１と複数の膜電極接合体１４０の一つの陽極反応側１４１との間、複数の膜電極接合体１４０の一つの陰極反応側１４２と両面チャンネルプレート１３０の第一側面チャンネル１３１との間、両面チャンネルプレート１３０の第二側面チャンネル１３２と複数の膜電極接合体１４０の一つの陽極反応側１４１との間、及び複数の膜電極接合体１４０の一つの陰極反応側１４２と第二単面チャンネルプレート１２２との間にそれぞれ接される。ここで、硬い親水性気密ガスケット１５０はプラズマ、或いはコロナ処理によって、複数の極性基（例えば、水酸基（ＯＨ））を有する。特に、複数の硬い親水性気密ガスケット１５０は複数の極性基と水によって、石墨から構成される第一単面チャンネルプレート１２１、複数の膜電極接合体１４０の陽極反応側１４１、複数の膜電極接合体１４０の陰極反応側１４２、石墨から構成される両面チャンネルプレート１３０及び石墨から構成される第二単面チャンネルプレート１２２に吸着される。更に具体的に言えば、複数の硬い親水性気密ガスケット１５０は接着剤によって、第一単面チャンネルプレート１２１、複数の膜電極接合体１４０の陽極反応側１４１、複数の膜電極接合体１４０の陰極反応側１４２、両面チャンネルプレート１３０、及び第二単面チャンネルプレート１２２に接着されるものでない。また、本実施例において、複数の硬い親水性気密ガスケット１５０の硬度はロックウェル硬度５０より大きい。よって、複数の硬い親水性気密ガスケット１５０（図６に示すブリッジＤ）はほとんど撓み、或いは変形現象を発生しにくい。
【００３０】
また、図６に示すように、第一単面チャンネルプレート１２１と硬い親水性気密ガスケット１５０との間の結合の例から言えば、硬い親水性気密ガスケット１５０は少なくとも、陽極入口１１１ａと陰極入口１１１ｃのチャンネル１２１ａの一部に接続するのをカバーする。
【００３１】
上述のように、燃料電池構造１００が組み合わされた時、第一単面チャンネルプレート１２１と、第二単面チャンネルプレート１２２と、複数の両面チャンネルプレート１３０と、複数の膜電極接合体１４０、及び複数の硬い親水性気密ガスケット１５０は第一制圧コレクターボード１１１と第二制圧コレクターボード１１２によって制圧し固定される。ここで、図５に示すように、第一制圧コレクターボード１１１の陽極入口１１１ａは第一単面チャンネルプレート１２１のチャンネル１２１ａと両面チャンネルプレート１３０の第二側面チャンネル１３２に接続され、及び第一制圧コレクターボード１１１の陰極入口１１１ｃは両面チャンネルプレート１３０の第一側面チャンネル１３１と第二単面チャンネルプレート１２２のチャンネル１２２ａに接続される。
【００３２】
上述のように、燃料電池構造１００が作動した時、燃料（例えば、メタノール）は第一制圧コレクターボード１１１の陽極入口１１１ａを経由して燃料電池構造１００の中に入り、且つメタノールは第一単面チャンネルプレート１２１のチャンネル１２１ａと両面チャンネルプレート１３０の第二側面チャンネル１３２を経由して、各膜電極接合体１４０の陽極反応側１４１に流れる。ここで、メタノールの流れ方向は図５の矢印Ａに示す通りである。最後に、メタノールは陽極出口１１１ｂを経由して燃料電池構造１００に流れ出す。もう一つでは、酸素は第一制圧コレクターボード１１１の陰極入口１１１ｃを経由して燃料電池構造１００の中に入り、且つ酸素は両面チャンネルプレート１３０の第一側面チャンネル１３１と第二単面チャンネルプレート１２２のチャンネル１２２ａを経由して、各膜電極接合体１４０の陰極反応側１４２に流れる。ここで、酸素の流れ方向は図５の矢印Ｂに示す通りである。最後に、酸素は陰極出口１１１ｄを経由して燃料電池構造１００に流れ出す。
【００３３】
上述のように、硬い親水性気密ガスケット１５０は第一単面チャンネルプレート１２１と膜電極接合体１４０との間、膜電極接合体１４０と両面チャンネルプレート１３０との間、及び膜電極接合体１４０と第二単面チャンネルプレート１２２との間の分離作用によって、必ず膜電極接合体１４０の陽極反応側１４１に流れるメタノールは膜電極接合体１４０の陰極反応側１４２に漏れることはない。一方、必ず膜電極接合体１４０の陰極反応側１４２に流れる酸素は膜電極接合体１４０の陽極反応側１４１に漏れることはない。
【００３４】
特に、硬い親水性気密ガスケット１５０は高硬度を有し、故に、仮に、燃料電池構造１００が組合せの過程において、締結力の（fastening force）不均一が発生し、或いは燃料電池構造１００が外力による衝撃を受けた時、硬い親水性気密ガスケット１５０は、依然として、撓み、或いは変形現象を発生せず、第一単面チャンネルプレート１２１と膜電極接合体１４０との分離、膜電極接合体１４０と両面チャンネルプレート１３０との分離、及び膜電極接合体１４０と第二単面チャンネルプレート１２２との分離効果を確保することができ、メタノールと酸素の互いの漏れと混合現象を確実に避けることができる。よって、燃料電池構造１００の作動効率と作動安全性を大幅に高めることができる。また、複数の硬い親水性気密ガスケット１５０は複数の極性基と水によって、第一単面チャンネルプレート１２１、複数の膜電極接合体１４０の陽極反応側１４１、複数の膜電極接合体１４０の陰極反応側１４２、両面チャンネルプレート１３０及び第二単面チャンネルプレート１２２に吸着される。故に、接着剤によっての接着プロセスを省くことができ、燃料電池構造１００が組合せでの便利性を効果的に高めることができる。
【００３５】
以上、本発明の好適な実施例を例示したが、図または説明書の説明では、類似または同一の部分は、同一の符号を用いている。また、図では、実施例の形状または厚さを拡大し、標示を簡易化している。また、図中の各素子の部分はそれぞれ説明されるが注意するのは、これは本発明を限定するものではなく、本発明の思想及び範囲を逸脱しない限りにおいては、当業者であれば行い得る少々の変更や修飾を付加することが可能である。従って、本発明が請求する保護範囲は、特許請求の範囲を基準とする。
【符号の説明】
【００３６】
１、 １００  燃料電池構造
１１、１１１  第一制圧コレクターボード
１１ａ、１１１ａ  陽極入口
１１ｂ、１１１ｂ  陽極出口
１１ｃ、１１１ｃ  陰極入口
１１ｄ、１１１ｄ  陰極出口
１２、１１２  第二制圧コレクターボード
２１、１２１  第一単面チャンネルプレート
２２、１２２  第二単面チャンネルプレート
３０、１３０  両面チャンネルプレート
４０、１４０  膜電極接合体
４１、１４１  陽極反応側
４２、１４２  陰極反応側
５０  気密ガスケット
１２１ａ、１２２ａ  チャンネル
１３１  第一側面チャンネル
１３２  第二側面チャンネル
１５０  硬い親水性気密ガスケット
Ｄ  ブリッジ
【図１】
2011071102.tif 000004
【図２】
2011071102.tif 000005
【図３】
2011071102.tif 000006
【図４】
2011071102.tif 000007
【図５】
2011071102.tif 000008
【図６】
2011071102.tif 000009